(57)【要約】【課題】湾曲操作ワイヤの基端をプーリに直接連結することで操作部を短く小型に構成することができ、しかも、プーリに対する湾曲操作ワイヤの固定位置の再調整等を制約なく容易に行うことができる内視鏡の湾曲操作装置を提供すること。【解決手段】湾曲操作ワイヤ７の基端部分が通過する貫通孔１６ａを備えていて湾曲操作ワイヤ７の基端付近の任意の軸線方向位置に固着される駒片１６が設けられて、その駒片１６を湾曲操作ワイヤ７の軸線方向に移動できないように係脱可能に嵌め込むための駒片係合凹部１７が、プーリ８に設けられている。【選択図】      図１
2010119556.tif 000002
【特許請求の範囲】
【請求項１】
挿入部の基端側に設けられた操作部において、上記挿入部内に挿通配置された一対の湾曲操作ワイヤの一方を選択して牽引操作することにより、上記挿入部の先端近傍に設けられた湾曲部を、上記牽引された湾曲操作ワイヤに対応する方向に任意の角度だけ屈曲させることができるように構成された内視鏡の湾曲操作装置であって、
上記操作部内には、操作部材で回転駆動されることにより上記一対の湾曲操作ワイヤの一方を牽引して他方を先端側に送り出すプーリが回転自在に設けられて、上記一対の湾曲操作ワイヤの基端が上記プーリに直接連結された構成を有するものにおいて、
上記湾曲操作ワイヤの基端部分が通過する貫通孔を備えていて上記湾曲操作ワイヤの基端付近の任意の軸線方向位置に固着される駒片が設けられて、その駒片を上記湾曲操作ワイヤの軸線方向に移動できないように係脱可能に嵌め込むための駒片係合凹部が、上記プーリに設けられていることを特徴とする内視鏡の湾曲操作装置。
【請求項２】
上記駒片係合凹部の上記駒片が係脱される開口部分をその外側から塞ぐための蓋部材が設けられて、上記蓋部材が上記プーリに着脱可能にビス止めされている請求項１記載の内視鏡の湾曲操作装置。
【請求項３】
上記蓋部材が、上記プーリの径と略同径の円盤状の部材である請求項２記載の内視鏡の湾曲操作装置。
【請求項４】
上記湾曲操作ワイヤの基端付近に弾力性のある保護コイルが被嵌されている請求項１ないし３のいずれかの項に記載の内視鏡の湾曲操作装置。
【請求項５】
上記保護コイルの先端位置が上記操作部内の空間内にある請求項４記載の内視鏡の湾曲操作装置。
【請求項６】
上記保護コイルの基端が上記駒片に固着されている請求項４又は５記載の内視鏡の湾曲操作装置。
【発明の詳細な説明】
【技術分野】
【０００１】
この発明は内視鏡の湾曲操作装置に関する。
【背景技術】
【０００２】
内視鏡の湾曲操作装置は一般に、内視鏡の挿入部の基端側に設けられた操作部において、挿入部内に挿通配置された一対の湾曲操作ワイヤの一方を選択して牽引操作することにより、挿入部の先端近傍に設けられた湾曲部を、牽引された湾曲操作ワイヤに対応する方向に任意の角度だけ屈曲させることができるように構成されている。
【０００３】
そして、内視鏡の操作部には、操作部材で回転駆動されることにより一対の湾曲操作ワイヤの一方を牽引して他方を先端側に送り出すプーリが回転自在に設けられているものが少なくない。
【０００４】
そのような内視鏡の湾曲操作装置においては、挿入部内に挿通配置された湾曲操作ワイヤの基端部分をプーリに直接巻回する構成にすると、分解組み立て等が煩雑になる場合がある。
【０００５】
そこで、挿入部内に挿通配置された湾曲操作ワイヤと、それとは別にプーリに巻回されたプーリワイヤとを、操作部内で分離自在に連結して、先端側に押し出される緩み側の湾曲操作ワイヤの弛みの吸収もその連結部で行われるようにしている（例えば、特許文献１）。
【０００６】
しかし、操作部内で湾曲操作ワイヤとプーリワイヤとを分離自在に連結する構造をとると、その連結部が他の部材と干渉せずに往復動をするだけの自由空間が操作部内に必要になるため、操作部が長く大型になってしまう。
【０００７】
そこで、湾曲操作ワイヤの基端を押さえビスでプーリに直接押圧固定する構成をとったものもある（例えば、特許文献２）。
【特許文献１】実公昭６３−５６８３
【特許文献２】実開昭４９−２１３８３
【発明の開示】
【発明が解決しようとする課題】
【０００８】
湾曲操作ワイヤの基端をプーリに直接連結すれば、操作部を短く小型に構成することができるメリットがある。しかし、湾曲操作ワイヤの基端を押さえビスで一度押圧固定すると、その部分で湾曲操作ワイヤが潰されて偏平になり、ワイヤの素線間の締まりもなくなってしまうので、湾曲操作ワイヤを他の位置（特に、潰れて偏平になった部分の近傍位置）で固定し直すのが困難になり、再調整や分解修理に支障をきたしてしまう場合がある。
【０００９】
本発明は、湾曲操作ワイヤの基端をプーリに直接連結することで操作部を短く小型に構成することができ、しかも、プーリに対する湾曲操作ワイヤの固定位置の再調整等を制約なく容易に行うことができる内視鏡の湾曲操作装置を提供することを目的とする。
【課題を解決するための手段】
【００１０】
上記の目的を達成するため、本発明の内視鏡の湾曲操作装置は、挿入部の基端側に設けられた操作部において、挿入部内に挿通配置された一対の湾曲操作ワイヤの一方を選択して牽引操作することにより、挿入部の先端近傍に設けられた湾曲部を、牽引された湾曲操作ワイヤに対応する方向に任意の角度だけ屈曲させることができるように構成された内視鏡の湾曲操作装置であって、操作部内には、操作部材で回転駆動されることにより一対の湾曲操作ワイヤの一方を牽引して他方を先端側に送り出すプーリが回転自在に設けられて、一対の湾曲操作ワイヤの基端がプーリに直接連結された構成を有するものにおいて、湾曲操作ワイヤの基端部分が通過する貫通孔を備えていて湾曲操作ワイヤの基端付近の任意の軸線方向位置に固着される駒片が設けられて、その駒片を湾曲操作ワイヤの軸線方向に移動できないように係脱可能に嵌め込むための駒片係合凹部が、プーリに設けられているものである。
【００１１】
なお、駒片係合凹部の駒片が係脱される開口部分をその外側から塞ぐための蓋部材が設けられて、蓋部材がプーリに着脱可能にビス止めされていてもよく、蓋部材が、プーリの径と略同径の円盤状の部材であってもよい。
【００１２】
また、湾曲操作ワイヤの基端付近に弾力性のある保護コイルが被嵌されていてもよく、保護コイルの先端位置が操作部内の空間内にあってもよい。そして、保護コイルの基端が駒片に固着されていてもよい。
【発明の効果】
【００１３】
本発明によれば、湾曲操作ワイヤの基端付近の任意の軸線方向位置に駒片を固着して、プーリに形成されている駒片係合凹部に駒片を嵌め込むことにより、湾曲操作ワイヤがプーリに直接連結された状態になるので、操作部を短く小型に構成することができ、しかも、湾曲操作ワイヤに対する駒片の固着位置を任意にずらして、プーリに対する湾曲操作ワイヤの固定位置の再調整等を容易に行うことができる。
【発明を実施するための最良の形態】
【００１４】
挿入部の基端側に設けられた操作部において、挿入部内に挿通配置された一対の湾曲操作ワイヤの一方を選択して牽引操作することにより、挿入部の先端近傍に設けられた湾曲部を、牽引された湾曲操作ワイヤに対応する方向に任意の角度だけ屈曲させることができるように構成された内視鏡の湾曲操作装置であって、操作部内には、操作部材で回転駆動されることにより一対の湾曲操作ワイヤの一方を牽引して他方を先端側に送り出すプーリが回転自在に設けられて、一対の湾曲操作ワイヤの基端がプーリに直接連結された構成を有するものにおいて、湾曲操作ワイヤの基端部分が通過する貫通孔を備えていて湾曲操作ワイヤの基端付近の任意の軸線方向位置に固着される駒片が設けられて、その駒片を湾曲操作ワイヤの軸線方向に移動できないように係脱可能に嵌め込むための駒片係合凹部が、プーリに設けられている。
【実施例】
【００１５】
以下、図面を参照して本発明の実施例を説明する。
図３は内視鏡の全体構成を示しており、術者の手で保持される操作部１に基端が連結された可撓性の挿入部２の先端近傍部分には、操作部１からの遠隔操作で屈曲する湾曲部３が設けられている。
【００１６】
この内視鏡は、挿入部２の外径が３〜５ｍｍ程度のいわゆる細径内視鏡であり、湾曲部３は上下二方向のみに屈曲することができる。なお、「上下」とは観察画面の上下方向であり、図３における上下方向と一致している。
【００１７】
湾曲部３の先端（即ち、挿入部２の最先端部分）には、観察窓や照明窓等が配置された先端部本体４が連結されており、観察窓から取り込まれた観察像が、先端部本体４に内蔵された固体撮像素子で撮像される。
【００１８】
挿入部２内には上下一対の湾曲操作ワイヤ７が挿通配置されている。湾曲操作ワイヤ７の先端は湾曲部３の最先端付近に連結され、湾曲操作ワイヤ７の基端は、操作部１内に回転自在に配置されたプーリ８に連結固定されている。
【００１９】
プーリ８の中心に直結されている回転軸９の外側端部は操作部１の外部に位置していて、術者によって操作される操作部材である湾曲操作レバー１０が回動操作自在にそこに取り付けられている。
【００２０】
したがって、湾曲操作レバー１０を回動操作すると、プーリ８が回転駆動されることにより、一対の湾曲操作ワイヤ７の一方が選択して牽引されて他方が先端側に送り出され、湾曲部３を、牽引された湾曲操作ワイヤ７に対応する上下どちらかの方向に任意の角度だけ屈曲させることができる。
【００２１】
操作部１は、湾曲操作ワイヤ７等が通されている機構配置部１Ａと術者の手で把持される把持部１Ｂとが鈍角をなす角度に配置されて、機構配置部１Ａの突端に挿入部２の基端が連結されている。
【００２２】
その結果、内視鏡は全体として、いわば挿入部２を銃身とする鉄砲状の形状に構成されている。なお、図示されていないビデオプロセッサに接続される信号ケーブル１１が、把持部１Ｂの下端部から延出している。
【００２３】
このような構成を有する内視鏡は、操作部１を保持する手がぐらついた時に、機構配置部１Ａの長さが短いほど挿入部２側の振れが小さく、先端部本体４が安定した状態を保ち易いので、機構配置部１Ａをできるだけ短く構成することが望ましい。
【００２４】
図４は、湾曲部３を遠隔操作するために操作部１内に配置された機構を示している。１２は、湾曲操作ワイヤ７が軸線方向に進退自在に通されたステンレス鋼線材製の密着巻きコイルパイプからなるガイドコイルである。
【００２５】
ガイドコイル１２の先端は湾曲部３の後端部付近に固定され、基端は操作部１内に固定されている。そして、操作部１内において各ガイドコイル１２の基端から引き出された湾曲操作ワイヤ７の基端が、プーリ８に直接連結されている。したがって、機構配置部１Ａを非常に短く構成することができる。１３は、湾曲部３の最大湾曲角度を設定するために、プーリ８の回転範囲を規制するための調整自在なプーリストッパ機構である。
【００２６】
プーリ８は、図４におけるＶ−Ｖ断面を図示する図５に示されるように、操作部１内に固定的に配置されたプーリ保持枠１５に回転自在に支持されている。プーリ８の外周部に形成されたプーリ溝８ａには、湾曲操作ワイヤ７が部分的に巻回されている。
【００２７】
１６は、湾曲操作ワイヤ７の基端部分に固着された駒片、１７は、駒片１６が係脱可能に嵌め込まれるようにプーリ８に形成された駒片係合凹部であり、駒片係合凹部１７はプーリ溝８ａとつながった状態に形成されている。駒片１６は、駒片係合凹部１７内に嵌め込まれると湾曲操作ワイヤ７の軸線方向に移動できない状態になる。
【００２８】
１８は、駒片１６が係脱される駒片係合凹部１７の開口部分をその外側から塞ぐように、薄い円盤状に形成されて固定ビス１９でプーリ８に着脱可能に固定された蓋部材である。
【００２９】
駒片１６は、図６に示されるように、例えば黄銅又はステンレス鋼等で形成された細長い円柱体であり、その軸線位置には、湾曲操作ワイヤ７の基端部分が通過することができる貫通孔１６ａが形成されている。
【００３０】
駒片１６の側面には半田付け用孔１６ｂが形成されていて、貫通孔１６ａ内に通された湾曲操作ワイヤ７を半田付け用孔１６ｂから半田付けすることにより、駒片１６を湾曲操作ワイヤ７の基端付近の任意の軸線方向位置に固着することができる。
【００３１】
２２は、操作部１内において湾曲操作ワイヤ７の基端付近に緩く被嵌される弾力性のある保護コイルであり、ガイドコイル１２と同様のステンレス鋼線材製の密着巻きコイルパイプで形成され、その基端が、貫通孔１６ａに真っ直ぐに連通する状態に駒片１６に銀ロー付け又は半田付け等で固着されている。
【００３２】
したがって、湾曲操作ワイヤ７は、駒片１６の貫通孔１６ａ内と保護コイル２２内とを緩く通過することができ、駒片１６が湾曲操作ワイヤ７の基端部分に固着されると、保護コイル２２が湾曲操作ワイヤ７の基端付近に被嵌された状態が維持される。
【００３３】
図７、図８及び図１は、湾曲操作ワイヤ７の基端部分に駒片１６が取り付けられる際の工程を順に示す平面図である。ただし、プーリ８は形状が明瞭になるように平面断面を図示してある。
【００３４】
湾曲操作ワイヤ７の基端は、図７に示されるように、ガイドコイル１２の基端からプーリ８に達するより十分に長く引き出され、図８に示されるように、予め一体に組み付けられている駒片１６と保護コイル２２に、湾曲操作ワイヤ７が基端側から通される。
【００３５】
次いで、図１に示されるように、駒片１６が駒片係合凹部１７内に嵌め込まれた時の湾曲操作ワイヤ７の張り具合が適切になるように、湾曲操作ワイヤ７に対する駒片１６の位置関係を調整して、駒片１６を湾曲操作ワイヤ７に半田付け等で固着する。
【００３６】
駒片１６から延出している湾曲操作ワイヤ７の基端部分は、プーリ８の外縁からはみ出さない範囲の突出代７ａを残して切除され、一対の湾曲操作ワイヤ７がプーリ溝８ａに部分的に沿わされて、湾曲操作ワイヤ７の基端部分に固着された駒片１６が、図２にも示されるように駒片係合凹部１７内に嵌め込まれる。
【００３７】
それによって、湾曲操作ワイヤ７の基端がプーリ８に連結された状態になり、プーリ８が回転操作されると、一対の湾曲操作ワイヤ７の一方が牽引されて他方が前方に向かって送り出され、牽引された湾曲操作ワイヤ７に対応する方向に湾曲部３が屈曲する。
【００３８】
そして、湾曲操作ワイヤ７の張り具合が適切でなかった場合や、分解修理の際に湾曲操作ワイヤ７の張り具合を調整する必要がある場合等には、湾曲操作ワイヤ７に対する駒片１６の固着位置を容易に修正して、湾曲操作ワイヤ７の張り具合を適切に修正することができる。
【００３９】
保護コイル２２の先端は、図１に示されるように、操作部１内のプーリ８とガイドコイル１２との間の空間に位置している。そのような保護コイル２２により、プーリ８から送り出される側の湾曲操作ワイヤ７がプーリ８の近傍位置で撓んでプーリ８に絡みつくような現象を効果的に防止することができる。
【００４０】
図９〜図１１は、駒片１６が駒片係合凹部１７内に嵌め込まれた後に、蓋部材１８がプーリ８に取り付けられる工程を示している。蓋部材１８は、図９に示されるようにプーリ８の径と略同径の円盤状の部材である。
【００４１】
蓋部材１８が固定ビス１９でプーリ８に固定されると、図１０及び図１１に示されるように、駒片係合凹部１７の開口部分が蓋部材１８で塞がれて、駒片１６が駒片係合凹部１７内に固定された状態になる。
【００４２】
そして、固定ビス１９を緩めて蓋部材１８をプーリ８から取り外せば、駒片係合凹部１７内から駒片１６を外して、湾曲操作ワイヤ７に対する駒片１６の固着位置を再調整することができる。
【００４３】
なお、本発明は上記実施例に限定されるものではなく、例えば、本発明を上下左右の四方向に任意に屈曲させることができる内視鏡の湾曲操作装置等に適用しても差し支えない。
【図面の簡単な説明】
【００４４】
【図１】本発明の実施例の内視鏡の湾曲操作装置の組み立て工程の平面図である。
【図２】本発明の実施例の図１におけるII−II断面図である。
【図３】本発明の実施例の内視鏡の全体構成図である。
【図４】本発明の実施例の内視鏡の操作部の内部機構の平面図である。
【図５】本発明の実施例の図４におけるＶ−Ｖ断面図である。
【図６】本発明の実施例のユニット化された駒片と保護コイルの側面断面図である。
【図７】本発明の実施例の内視鏡の湾曲操作装置の組み立て工程の平面図である。
【図８】本発明の実施例の内視鏡の湾曲操作装置の組み立て工程の平面図である。
【図９】本発明の実施例の内視鏡の湾曲操作装置の組み立て工程の斜視図である。
【図１０】本発明の実施例の内視鏡の湾曲操作装置の組み立て工程の平面図である。
【図１１】本発明の実施例の図１０におけるXI−XI断面図である。
【符号の説明】
【００４５】
１  操作部
２  挿入部
３  湾曲部
７  湾曲操作ワイヤ
８  プーリ
１０  湾曲操作レバー（操作部材）
１６  駒片
１６ａ  貫通孔
１７  駒片係合凹部
１８  蓋部材
１９  固定ビス
２２  保護コイル
【図１】
2010119556.tif 000003
【図２】
2010119556.tif 000004
【図３】
2010119556.tif 000005
【図４】
2010119556.tif 000006
【図５】
2010119556.tif 000007
【図６】
2010119556.tif 000008
【図７】
2010119556.tif 000009
【図８】
2010119556.tif 000010
【図９】
2010119556.tif 000011
【図１０】
2010119556.tif 000012
【図１１】
2010119556.tif 000013